(57)【特許請求の範囲】
【請求項１】
バルブが装着されているエアゾール容器と、前記バルブのステムに嵌め込まれるステム嵌合部を有する押しボタンとからなるエアゾール装置であって、前記バルブのステムに、前記エアゾール容器内に充填される内容物の導出口が複数形成され、前記ステムの移動量を規制し、前記内容物の噴射量を調節する噴射調節手段を備え、前記押しボタンは該押しボタンを押し下げるための押圧部を２個有しており、そのうちの一方の押圧部が他方の押圧部とは別体に形成され、該一方の押圧部に前記噴射調節手段が形成されてなることを特徴とするエアゾール装置。
【請求項２】
前記複数の導出口をその孔径が順次大径となるように下部から上部に配置してなる請求項１記載の装置。 
【請求項３】
前記噴射調節手段が、前記一方の押圧部の移動量を規制するためにその外周面に形成される段部と、前記他方の押圧部の移動量を規制するための係止部とからなる請求項１または２記載の装置。
【請求項４】
前記係止部が、前記一方の押圧部と他方の押圧部に連結される基部とのあいだの摺動可能な嵌合部における係止突起である請求項３記載の装置。
【請求項５】
前記係止部が前記一方の押圧部に形成される係止部材である請求項３記載の装置。
【請求項６】
前記ステム嵌合部を上下方向に案内する案内手段が備えられてなる請求項１、２、３、４または５記載の装置。
【請求項７】
前記案内手段が前記ステム嵌合部に外挿される案内部である請求項６記載の装置。
【請求項８】
前記ステム嵌合部が面接触により案内されてなる請求項７記載の装置。
【請求項９】
前記ステム嵌合部が線接触により案内されてなる請求項７記載の装置。
【発明の詳細な説明】
【０００１】
【発明の属する技術分野】
本発明はエアゾール装置に関する。さらに詳しくは、内容物の噴射量を調節することができるエアゾール装置に関する。
【０００２】
【従来の技術】
従来のエアゾール装置として、たとえば図１３〜１４に示すように、外筒（耐圧容器）１０１上にバルブ１０２が取り付けられているエアゾール容器１０３と、前記バルブ１０２の噴射バルブ１０４から突出するステム１０５に固着されている操作冠１０６とから構成されており、該操作冠１０６の下縁１０６ａがカール部１０７に接するまで、前記ステム１０５がバルブハウジング１０８内にネジ込まれているものがある（実公昭３５−６８６８号公報）。そして使用に際し、前記操作冠１０６を回転させて、ステム１０５とパッキン１０９とを離間することにより、内容物を通孔１１０より側孔１１１および噴射通路１１２を通過させ、噴射ノズル１１３から噴射させるようにしている。このように、前記エアゾール装置は、操作冠を回転させて、内容物を噴射させるようにしているため、操作冠の回転量により内容物の噴射量を調節することができる。
【０００３】
【発明が解決しようとする課題】
しかしながら、前記エアゾール装置では、噴射量の調節操作は、容器を片手に持ち、もう一方の手で操作冠を回転させなければならないため、両手の操作が必要で、操作性に問題を残している。
【０００４】
本発明は、叙上の事情に鑑み、片手で操作して、内容物の噴射量を確実に調節することができるエアゾール装置を提供することを目的とする。
【０００５】
【課題を解決するための手段】
本発明のエアゾール装置は、バルブが装着されているエアゾール容器と、前記バルブのステムに嵌め込まれるステム嵌合部を有する押しボタンとからなるエアゾール装置であって、前記バルブのステムに、前記エアゾール容器内に充填される内容物の導出口が複数形成され、前記ステムの移動量を規制し、前記内容物の噴射量を調節する噴射調節手段を備え、前記押しボタンは該押しボタンを押し下げるための押圧部を２個有しており、そのうちの一方の押圧部が他方の押圧部とは別体に形成され、該一方の押圧部に前記噴射調節手段が形成されてなることを特徴としている。
【０００６】
【発明の実施の形態】
以下、添付図面に基づいて本発明のエアゾール装置を説明する。
【０００７】
図１は本発明のエアゾール装置の一実施例を示す断面図、図２は図１における噴射ノズルの他の実施例を示す断面図、図３は図１におけるＩ−Ｉ断面図、図４はステム嵌合部の他の案内構造を示す断面図、図５は図１におけるエアゾール装置の平面図、図６は図１における噴射調節手段の拡大図、図７は図１におけるエアゾール装置の噴射状態を示す断面図、図８は図１におけるエアゾール装置の他の噴射状態を示す断面図、図９は本発明のエアゾール装置の他の実施例を示す断面図、図１０は本発明のエアゾール装置のさらに他の実施例を示す断面図、図１１は図１０におけるエアゾール装置の噴射状態を示す断面図、図１２は図１０におけるエアゾール装置の他の噴射状態を示す断面図である。
【０００８】
図１に示すように、本実施例のエアゾール装置は、有底筒状の外筒１上に二重巻締めにより取り付けられた肩部（目金部）２にバルブ（エアゾールバルブ）３が装着されているエアゾール容器４と、該容器４にキャップ５を取り付けるために固着されるカバー６と、前記バルブ３のステム７を圧下することにより前記容器４内に充填される内容物を噴射ノズル８から噴射させる外径球面状の押しボタン９とから構成されている。また前記バルブ３は、肩部２にクリンチにより装着されるマウンティングカップ１０と、該マウンティングカップ１０に支持される噴射バルブ１１とから構成されている。なお、本実施例では、バルブ３のマウンティングカップ１０を二重巻締により取り付けられた肩部２にクリンチにより装着されているが、本発明においては、これに限定されるものではなく、外筒の中心に向かってしぼり、外部と肩部が一部材で形成され、肩部の上端開口部に外部にカールさせたビード部を設け、該ビード部にマウンティングカップをクリンチにて装着させることができる。またハウジング１１ａ、ステムラバー１１ｂ、スプリング１１ｃがセットされた部材、すなわち噴射バルブ１１がマウンティングカップ１０の中央凸部とかしめて装着されているが、本発明においては、これに限定されるものではなく、マウンティングカップを用いることなくを噴射バルブ１１を蓋体などにより装着させてもよい。また本実施例では、外筒からなるエアゾール容器を示しているが、これに限定されるものではなく、外筒内に内筒を収納してなる二重構造のエアゾール容器とすることもできる。そして前記噴射ノズルの構造として、たとえば図２に示すように、外周からの内容物を前端部内面に形成される放射状溝８ａを通して中心に集め噴射させるメカニカルブレークアップ構造とすることもできる。
【０００９】
前記カバー６は、外筒１に装着する脚部１２と、円錐形の膨出部１３と、前記脚部１２および膨出部１３を連結する上壁部１４とから構成されており、前記膨出部１３には、前記押しボタン９のステム嵌合部１５に外挿される案内手段である案内部１６が形成されている。該案内部１６により、前記押しボタン９の上下方向の移動が案内される。案内構造としては、たとえば図３に示すように、ステム嵌合部が円筒形状や角形状などにより面接触、または図４に示すように、歯形などにより線接触して案内されるようにできるし、逆に案内部の内径を歯形などにより線接触して案内されるようにしてもよい。前記脚部１２の外周面には、段部１７が形成されており、該段部１７にキャップ５が取り付けられる。該キャップ５は前記段部１７における微小突起１８とキャップ５における微小くぼみ１９との凹凸嵌合により着脱自在にされている。
【００１０】
前記噴射バルブ１１のステム７は、ハウジング１１ａ内に収納され、スプリング１１ｃにより上方に付勢されている。そして、前記内容物を噴射通路２０に導びき出すための導出口が２個形成されており、各導出口２１ａ、２１ｂは上下方向にズラして配置され、常時ステムラバー１１ｂにより封止されている。前記下部に配置される導出口２１ａと上部に配置される導出口２１ｂの孔径は、下部導出口２１ａが小さく、上部導出口２１ｂが大きく設定されている。これにより、ステム７が前記押しボタンにより押し下げられると、まず下部導出口２１ａが開口し、微量の内容物が噴射され、ついで上部導出口２１ｂも開口すると、通常使用する量だけ噴射される。かかる噴射動作は、操作者の指先で行なうことができるが、本発明においては、かかる噴射動作を確実かつ簡単に行なうために、後述する噴射調節手段を備えるのが好ましい。なお、本実施例では、導出口を２個形成しているが、本発明においては、これに限定されるものではなく、ガスケットの厚さの範囲内に導出口を３個以上形成するようにしてもよい。また本実施例では、導出口をその孔径が順次大径となるように下部から上部に配置するようにされているが、本発明においては、これに限定されるものではなく、逆に導出口をその孔径が順次小径となるように下部から上部に配置してもよく、またはすべての孔径を同一としてもよい。
【００１１】
前記押しボタン９は、カバー６に内装され、その基部２２の上部に形成される前記ステム嵌合部１５が前記ステム７に嵌め込まれており、また前記噴射ノズル８はステム嵌合部１５から押しボタン９を貫通する噴射通路２０の上端に圧入により嵌着されている。前記押しボタン９は、前記ステム７の導出口の個数に合わせて、２個の押圧部２３、２４を有しており、図１および図５に示すように、押圧部２３、２４はカバー６の上壁部１４に形成される開口部１４ａ、１４ｂからそれぞれ突出されている。前記押圧部２４は基部２２に一体に形成され、一方の押圧部２３は別体に形成されている。該一方の押圧部２３には、前記ステムの移動量を規制し、前記内容物の噴射量を調節するための噴射調節手段が設けられている。該噴射調節手段は、図１および図６に示すように、前記押圧部２３の押し下げにより、ステム７が移動し押圧部２３が上壁部１４に係止するとともに、前記下部導出口２１ａが噴射通路２０に連通するまでの移動量を規制するために、押圧部２３の外周面に形成される段部２５と、同様に前記押圧部２４の押し下げにより、下部および上部導出口２１ａ、２１ｂが噴射通路２０に連通するまでの移動量を規制するための係止部２６とから構成されている。該係止部２６は、本実施例では、押圧部２３の外周壁２７と該外周壁２７内に基部２２から立設される一対の柱部２８とのあいだの摺動可能な嵌合部に形成される係止突起２９、３０からなるが、本発明においては、これに限定されるものではなく、前記外周壁と該外周壁外に立設させる一対の柱部とのあいだの嵌合部に係止突起を形成するようにしてもよい。
【００１２】
つぎに前記噴射調節手段を備えたエアゾール装置の動作を説明する。図７に示すように、使用に際し、キャップを取り外し、押しボタン９の押圧部２３を段部２５が上壁部１４に係止するまで押すと、該押しボタン９は案内部１６により案内されてステム７を押し下げる。ついで、ステム７がステムラバー１１ｂと摺動しつつ、ハウジング１１ａ内を下降し、下部導出口２１ａを通して容器４内外が連通する。そして、容器４内に充填された内容物がガス圧力により下部導出口２１ａおよび噴射通路２０を通して噴射ノズル８から微量噴射される。つぎに図８に示すように、押圧部２４を段部２５が上壁部１４に係止し、さらに図６に示すように、係止突起２９、３０が係合するまで押すと、同様にステム７が下降し、下部および上部導出口２１ａ、２１ｂを通して容器４内外が連通する。そして下部および上部導出口２１ａ、２１ｂと噴射通路２０を通して噴射ノズル８から通常の内容物の噴射量が噴射される。本実施例では、押しボタンの押圧部を適宜切り換えて微量および通常の噴射量を噴射させることができるので、非常に使い勝手がよい。
【００１３】
つぎに本発明の他の実施例を説明する。図９に示すように、噴射調節手段が前記実施例と相違している。押圧部３３の外周壁３７には、段部３５だけが形成されている。そして係止部３６は、押圧部３３の底部３３ａに内周壁３７ａを形成し、該内周壁３７ａと該内周壁３７ａ内に基部３２から立設される柱部３８とのあいだの嵌合部に形成される係止突起３９、４０からなる。本発明においては、これに限定されるものではなく、前記内周壁と該内周壁外に立設される一対の柱部とのあいだの嵌合部に係止突起を形成するようにしてもよい。
【００１４】
つぎに本発明のさらに他の実施例を説明する。図１０に示すように、噴射調節手段が図１および図９の実施例と相違している。本実施例の噴射調節手段は、押圧部４３における外周壁４７の外周面に形成される段部４５と、押圧部４３における外周壁４７の内周面に係止突起により凹凸嵌合される係止部材４６とから構成されている。該係止部である係止部材４６は、基部４２とは別体に形成されており、端部４６ａが押しボタン４９のステム嵌合部５５に差し込まれて抜け止されている。
【００１５】
つぎに本実施例における噴射調節手段を備えたエアゾール装置の動作は、図７〜８における前記実施例の基本動作と同様であり、図１１に示すように、押圧部４３を段部４５が上壁部１４に係止するまで押すと、係止部材４６を介して押しボタン４９が押され、ステム７がハウジング１１ａ内を下降する。そして下部導出口２１ａを通して容器４内外が連通し、内容物が下部導出口２１ａおよび噴射通路２０を通して噴射ノズル８から微量噴射される。つぎに図１２に示すように、押圧部４４を押すと、係合部材４６と基部４２の係合が解除され、押しボタン４９の基部４２によりステム７が押し下げられる。これにより、下部および上部導出口２１ａ、２１ｂを通して容器４内外が連通し、下部および上部導出口２１ａ、２１ｂと噴射通路２０を通して噴射ノズル８から通常の内容物の噴射量が噴射される。
【００１６】
本発明のエアゾール装置として、とくに上方向噴射の頭髪化粧料、空間消臭剤、殺虫剤、塗料などに用いることにより、好みの噴射部分に狙いをつけて簡単に噴射することができるため、使い勝手がよい。
【００１７】
【発明の効果】
以上説明したとおり、本発明では、ステムに複数、たとえば２個の導出口を上下に配置し、たとえば下部導出口の孔径を小さくし、上部導出口の孔径を大きくすることにより、内容物を微量から通常の噴射量に調節することができる。またかかる噴射量の調節をステムの移動量を規制する噴射調節手段により確実および簡単にすることができる。
【図面の簡単な説明】
【図１】本発明のエアゾール装置の一実施例を示す断面図である。
【図２】図１における噴射ノズルの他の実施例を示す断面図である。
【図３】図１におけるＩ−Ｉ断面図である。
【図４】ステム嵌合部の他の案内構造を示す断面図である。
【図５】図１におけるエアゾール装置の平面図である。
【図６】図１における噴射調節手段の拡大図である。
【図７】図１におけるエアゾール装置の噴射状態を示す断面図である。
【図８】図１におけるエアゾール装置の他の噴射状態を示す断面図である。
【図９】本発明のエアゾール装置の他の実施例を示す断面図である。
【図１０】本発明のエアゾール装置のさらに他の実施例を示す断面図である。
【図１１】図１０におけるエアゾール装置の噴射状態を示す断面図である。
【図１２】図１０におけるエアゾール装置の他の噴射状態を示す断面図である。
【図１３】従来のエアゾール装置を示す断面図である。
【図１４】図１３におけるエアゾール装置の噴射状態を示す断面図である。
【符号の説明】
１    外筒
２    肩部
３    バルブ
４    エアゾール容器
５    キャップ
６    肩カバー
７    ステム
８    噴射ノズル
９、４９    押しボタン
１０    マウンティングカップ
１１    噴射バルブ
１５、５５    ステム嵌合部
２１ａ  下部導出口
２１ｂ  上部導出口
２３、２４、３３    押圧部
２６、３６、４３、４４    係止部
２９、３０、３９、４０    係止突起
４６    係止部材
【図１】
0003634920.tif 000002
【図２】
0003634920.tif 000003
【図３】
0003634920.tif 000004
【図４】
0003634920.tif 000005
【図５】
0003634920.tif 000006
【図６】
0003634920.tif 000007
【図７】
0003634920.tif 000008
【図８】
0003634920.tif 000009
【図９】
0003634920.tif 000010
【図１０】
0003634920.tif 000011
【図１１】
0003634920.tif 000012
【図１２】
0003634920.tif 000013
【図１３】
0003634920.tif 000014
【図１４】
0003634920.tif 000015